(57)【要約】【課題】  あらゆる状況下においても、作業者が単独で計測器による測定作業を行うことができる。【解決手段】  測定結果を表示するメータと、測定部に接触させるプローブを先端に有したテストリードとを備えた計測器及びそのケース体であって、計測器又はそのケース体に設けた巻尺（長尺部材）と、該巻尺の先端に固定物に取り付けられる取付具とを有し、取付具を固定物に固定して、巻尺を伸縮させて計測器の高さ位置を調整するようにする。【選択図】  図１
2017122590.tif 000002
【特許請求の範囲】
【請求項１】
測定結果を表示するメータと、測定部に接触させるプローブを先端に有したテストリードとを備えた計測器であって、
該計測器に設けられた長尺部材と、該長尺部材が設けられた計測器の部位と長尺部材の先端との間隔を伸縮自在にする伸縮機構と、上記長尺部材の先端に固定物に取り付けられる取付具を有し、
取付具を固定物に固定して、長尺部材の伸縮機構を操作して計測器の高さ位置を調整するようにした
ことを特徴とする計測器。
【請求項２】
長尺部材を計測器に着脱自在に設けた
ことを特徴とする請求項１に記載の計測器。
【請求項３】
長尺部材が巻尺であり、その先端に取付具を設けた
ことを特徴とする請求項１又は２のいずれか１項に記載の計測器。
【請求項４】
伸縮機構にロック機構を設け、長尺部材の伸縮を調整して、計測器の高さを所定の位置で維持する
ことを特徴とする請求項１から３のいずれか１項に記載の計測器。
【請求項５】
測定結果を表示するメータと、測定部に接触させるプローブを先端に有したテストリードとを備えた計測器のケース体であって、
該計測器のケース体に設けられた長尺部材と、該長尺部材が設けられた計測器のケース体の部位と長尺部材の先端との間隔を伸縮自在にする伸縮機構と、上記長尺部材の先端に固定物に取り付けられる取付具を有し、
取付具を固定物に固定して、長尺部材の伸縮機構を操作して計測器のケース体の高さ位置を調整するようにした
ことを特徴とする計測器のケース体。
【請求項６】
長尺部材を計測器のケース体に着脱自在に設けた
ことを特徴とする請求項５に記載の計測器のケース体。
【請求項７】
長尺部材が巻尺であり、その先端に取付具を設けた
ことを特徴とする請求項５又は６のいずれか１項に記載の計測器のケース体。
【請求項８】
伸縮機構にロック機構を設け、長尺部材の伸縮を調整して、計測器のケース体の高さを所定の位置で維持する
ことを特徴とする請求項５から７のいずれか１項に記載の計測器のケース体。
【発明の詳細な説明】
【技術分野】
【０００１】
この発明は、測定物の電圧、電流、電気抵抗等を測定するテスタ或いは絶縁抵抗器の測定計測を行うメガー（絶縁抵抗計）など、持ち運び可能な計測器及びそのケース体に関し、特に、作業者単独での測定を可能とする計測器及びそのケース体に関する。
【背景技術】
【０００２】
持ち運び可能な計測器を用いて測定する場合、通常、次の２つの方法で行う。
【０００３】
１つは、計測器を安定した箇所に設置して、一方の手でプローブの一方を持ち、他方の手でプローブの他方を持って、この２つのプローブを測定物へ当てて行なう。
【０００４】
２つ目は、計測器を一方の手で持ち、他方の手で２つのプローブをお箸のように持って、測定物をお箸のように持った２つのプローブで挟むようにして行なう。
【０００５】
ところが、１つ目の場合、計測器を安定した場所に設置できるとは限らず、その場合、測定物の測定を１人で行なうことできない。
【０００６】
また、２つ目の場合、測定物がある場所が測定する作業者にとって不安定な場所であったりした場合、一方の手で作業者自身を姿勢が安定するように支えなければならず、この場合も、測定物の測定を１人で行なうことできない。
【０００７】
以上の状況下においては、結局、１人が計測器を持ち、もう１人がプローブを持つ必要があり、作業者単独での測定作業ができず、不便であった。
【０００８】
そこで、特許文献１に記載された発明は、テスタ（計測器）に磁石を設け、配電盤などの磁性体で構成される部分にテスタを吸着させ、テスタの安定化を図ることができる。
【０００９】
また、特許文献２に記載された発明は、２つのプローブをハサミ状に交差させ、片手での２つのプローブの測定部材への接触を確実なものにすることができる。
【先行技術文献】
【特許文献】
【００１０】
【特許文献１】特開２００８−６４６１１号公報
【特許文献２】特開２００９−１９８２２６号公報
【発明の概要】
【発明が解決しようとする課題】
【００１１】
しかしながら、特許文献１の発明にあっては、測定作業をする場所に配電盤など磁性体の部材があるとは限らず、磁性体の部材がない場所では結局作業者単独での測定作業はできない。また、磁性体の部材があったとしても、これが作業者の目線の高さにないと測定結果を読み取ることができないという問題があった。
【００１２】
また、特許文献２の発明にあっては、そもそも、一方の手でテスタを、他方の手でプローブを持っているため、不安定な場所では作業者単独での測定作業はできない。さらに、測定物と測定物とが離れている、或いは両者間に別のものがあり、測定物同士をプローブで挟み込めない場合には測定作業を行うことができないという問題があった。
【００１３】
そのため、多くの場合、一人では測定作業ができないため補助者が必要となり、一人が計測器を持ち、もう一人が両方のプローブを測定物へ当てて、測定物の測定を行なわなければならず、極めて不便である。
【００１４】
そこでこの発明は、計測器を安定な状態で設置できない状況であっても、作業者単独で測定物の測定を容易に行なうことができる計測器及びそのケース体を提供することを目的とする。
【課題を解決するための手段】
【００１５】
上記課題を解決するために、請求項１の発明は、測定結果を表示するメータと、測定部に接触させるプローブを先端に有したテストリードとを備えた計測器であって、該計測器に設けられた長尺部材と、該長尺部材が設けられた計測器の部位と長尺部材の先端との間隔を伸縮自在にする伸縮機構と、上記長尺部材の先端に固定物に取り付けられる取付具を有し、取付具を固定物に固定して、長尺部材の伸縮機構を操作して計測器の高さ位置を調整するようにした、ことを特徴とする。
【００１６】
この発明によれば、伸縮自在にされた長尺部材の先端に固定物に取着するための取付具を設けたので、作業者が計測器を持つ必要はなく、かつ、取付具を固定物に取り付けて長尺部材を伸縮させると、計測器の高さ位置を調節できる。
【００１７】
請求項２の発明は、請求項１に記載の計測器において、長尺部材を計測器に着脱自在に設けた、ことを特徴とする。
【００１８】
請求項３の発明は、請求項１または２に記載の計測器において、長尺部材が巻尺であり、その先端に取付具を設けた、ことを特徴とする。
【００１９】
請求項４の発明は、請求項１から３に記載の計測器において、伸縮機構にロック機構を設け、長尺部材の伸縮を調整して、計測器の高さを所定の位置で維持する、ことを特徴とする。
【００２０】
また、上記課題を解決するために、請求項５の発明は、測定結果を表示するメータと、測定部に接触させるプローブを先端に有したテストリードとを備えた計測器のケース体であって、該計測器ケース体に設けられた長尺部材と、該長尺部材が設けられた計測器のケース体の部位と長尺部材の先端との間隔を伸縮自在にする伸縮機構と、上記長尺部材の先端に固定物に取り付けられる取付具を有し、取付具を固定物に固定して、長尺部材の伸縮機構を操作して計測器のケース体の高さ位置を調整するようにした、ことを特徴とする。
【００２１】
この発明によれば、上記請求項１の発明と同様に、伸縮自在にされた長尺部材の先端に固定物に取着するための取付具を設けたので、作業者が計測器及びケース体を持つ必要はなく、かつ、取付具を固定物に取り付けて長尺部材を伸縮させると、計測器及びケース体の高さ位置を調節できる。
【００２２】
請求項６の発明は、請求項５に記載の計測器において、長尺部材を計測器のケース体に着脱自在に設けた、ことを特徴とする。
【００２３】
請求項７の発明は、請求項５または６に記載の計測器のケース体において、長尺部材が巻尺であり、その先端に取付具を設けた、ことを特徴とする。
【００２４】
請求項８の発明は、請求項５から７に記載の計測器において、伸縮機構にロック機構を設け、長尺部材の伸縮を調整して、計測器の高さを所定の位置で維持する、ことを特徴とする。
【発明の効果】
【００２５】
請求項１および請求項５の発明によれば、長尺部材の先端に取着した取付具を固定物に取着すれば、計測器を作業者が持つ必要はなく、長尺部材を伸縮させると、計測器の高さ位置を調節でき、作業者の目線の高さに合わせることができ、よって、作業者が１人で測定作業を行うことが可能となる。
【００２６】
請求項２および請求項６の発明によれば、計測器に対して長尺部材を着脱自在に設けることにより、計測器を既存のものを利用することを可能とする。
【００２７】
請求項３および請求項７の発明によれば、長尺部材を伸縮機能を有する巻尺としたので、既存のものと利用することができる。
【００２８】
請求項４および請求項８の発明によれば、伸縮機構にロック機構を設け、長尺部材の伸縮を調整するようにしたので、計測器のケース体の高さを所定の位置で維持することができ、安定した測定作業を行うことを可能にする。
【図面の簡単な説明】
【００２９】
【図１】図２とともに、この発明の第１の実施の形態を示し、筐体内に長尺部材を内蔵した計測器を正面側から見た斜視図である。
【図２】計測器の筐体の一部を切欠いて長尺部材を見せる斜視図である。
【図３】各実施の形態で用いることができる取付具の変形例を示し、（ａ）は磁石、（ｂ）は吸盤、（ｃ）はクリップ、をそれぞれ示す斜視図である。
【図４】第２の実施の形態を示す背面側から見た斜視図である。
【図５】第３の実施の形態を示す背面側から見た斜視図である。
【図６】第４の実施の形態を示す背面側から見た斜視図である。
【図７】第５の実施の形態を示す背面側から見た斜視図である。
【発明を実施するための形態】
【００３０】
以下、この発明を図示の各実施の形態に基づいて説明する。
【００３１】
図１及び図２は、本発明の第１の実施の形態を示し、計測器１０に長尺部材として既存の巻尺を適用し、かつ、巻尺を計測器筐体内に内蔵したものである。
【００３２】
図１は計測器１０を正面側から見た斜視図であり、図２はこの筐体１１の一部を切り欠き、内蔵した巻尺１５を見せた背面側から見た斜視図である。
【００３３】
計測器１０は、各種測定するための測定回路が内蔵された筐体１１と、該筐体１１の前面に測定結果を表示するメータ１２と、測定部に接触させるプローブ１３、１３を先端に有したテストリード１４、１４とを備える（図１参照）。
【００３４】
計測器１０の筐体１１の背面側内部に長尺部材としての巻尺１５が内蔵されている。巻尺１５は既存のものなので詳細は省略するが、扁平円筒状のケース体に長尺なテープ材が巻かれて収納され、テープ材の先端がケース体の周面から露出しており、このテープ材を引っ張るとテープ材がケース体から引き出されるようになっている。
【００３５】
また、テープ材をケース体から引き出すと、ケース体内に内蔵されたラチェット機構により、テープ材が引き出された状態を維持できる（ロック機構）ようになっている。
【００３６】
そして、巻尺１５の一方の面の中心部にはロック解除ボタン１６が設けられ、ロック解除ボタン１６を押すと上記ラチェット機構が解除されて、引き出されたテープ材が巻き取られてケース体に収納されるようになっている。
【００３７】
したがって、巻尺１５は本発明における長尺部材であるとともに伸縮機構を備え、かつロック機構をも有していることとなる。
【００３８】
なお、巻尺１５のテープ材が巻かれている状態では計測器１０の前後方向がテープ材の幅方向と一致するが、巻尺１５のケース体から露出する部位において９０度捩られるようになっていて、計測器１０の左右方向がテープ材の幅方向と一致するようになっている。これは、テープ材を長尺部材として計測器１０を吊すように使用するため、引っ掛けた固定物の面に対して計測器１０の向きがずれないようにするためである。
【００３９】
また、長尺部材としては絶縁物が好ましく、巻尺１５のテープ材はビニール樹脂などが良い。また、計測器１０を吊すことになるので計測器１９が回転しないように幅広で比較的硬質なものが好ましい。
【００４０】
巻尺１５のテープ材の先端には後述するフック１７を取り付けるためのスナップボタン１８が設けられ、また、フック１７にもスナップボタン１８が設けられており、これにより、フック１７は巻尺１５に対して着脱自在に設けられている。
【００４１】
フック１７は測定作業を行う測定物の近傍の固定物に引っ掛けて使用する。
【００４２】
このとき、巻尺１５のテープ材のケース体からの引き出し量を調整し、計測器１０が作業者の目線の高さになるようにし、かつ、左右の手で持ったプルーブ１３、１３が測定物に届く長さとする。
【００４３】
これにより、作業者は計測器１０を持たずに２つのプローブ１３、１３のみを持って作業を行うことができる。また、計測器１０を自分の目線の高さに合わせることができるため、作業のしやすいポジションを取ることができる。
【００４４】
図３は上記取付具の変形例を示す斜視図であり、（ａ）は磁石２０を、（ｂ）は吸盤２１を、（ｃ）はクリップ２２を示す。これら磁石２０、吸盤２１、クリップ２２も上記フック１７と同様にスナップボタン１８を備えており、このスナップボタン１８を上記巻尺１５のテープ材先端のスナップボタン１８に係合できるようになっている。このように取付具を種々用意しておきかつ長尺部材に係合可能としておくことは、測定物が置かれた場所の状況により、種々交換することができ、作業性の良好なポジションを取り、安全な測定作業を可能にする。
【００４５】
図４は本発明の第２の実施の形態を示すもので、背面側から見た斜視図である。この第２の実施の形態は、第１の実施の形態のように巻尺１５を計測器１０の筐体１１内に内蔵するのではなく、巻尺３１を既存の計測器３０の外面に取り付けたものである。この取り付けには一対の面ファスナー３４、３５を用いている。
【００４６】
計測器３０の背面には一方の面ファスナー３４が貼着され、巻尺３１のケース体の一方の面に他方の面ファスナー３５が貼着されている。巻尺３１の面ファスナー３５が貼着された面の反対側の面にはロック解除ボタン３３が突出されている。また、巻尺３１のテープ材の先端部にはスナップボタン３２が設けられ前述の取付具（フック１７、磁石２０、吸盤２１、クリップ２２）のスナップボタン１８が係合可能となっている。
【００４７】
この第２の実施の形態にあっては、何より計測器３０に後付けで巻尺３１を取付けることができ、既存の計測器３０と巻尺３１とに面ファスナー３４、３５をそれぞれ貼着するだけで良いので、すでに所有する計測器３０をそのまま用いることができる。
【００４８】
図５は本発明の第３の実施の形態を示すもので、背面側から見た斜視図である。この第３の実施の形態は長尺部材としての巻尺１５の代わりに伸縮自在のロッド４１を計測器４０の背面側の内側に内蔵し、その先端を計測器４０の上面から突出させたものである。
【００４９】
この伸縮自在なロッド４１は、例えばロッドアンテナのようなもので伸ばした状態がある程度維持されるものであることが必要である。これは、計測器４０がロッド４１に吊り下げることになるため、計測器４０の自重でロッド４１が伸びてしまうことを防止するためである。そこで、上段のロッドと下段のロッドとをそれぞれ反対方向に捩ることにより軸方向の移動が抑止されるようなロッド４１を用いることが好ましい。
【００５０】
ロッド４１の先端にはスナップボタン４２が設けられ、前述の取付具（フック１７、磁石２０、吸盤２１、クリップ２２）のスナップボタン１８が係合可能となっている。
【００５１】
このような計測器４０にあっても、上記第１の実施の形態で示した計測器１０と同様に測定物の近傍に所望の取付具（フック１７、磁石２０、吸盤２１、クリップ２２）を取付け、これを固定物に取着することにより計測器４０を安定させ、高さ方向の位置を調整することができる。
【００５２】
図６は本発明の第４の実施の形態を示すもので、正面側から見た斜視図である。この第４の実施の形態は計測器に巻尺を直接取着するのではなく、計測器を収納するケース体に巻尺などの長尺部材を取着したものである。
【００５３】
計測器ケース体５０は一方の面が開口した箱体を呈し、この開口面から計測器５３が収納される。計測器ケース体５０の底面上部には、第１の実施の形態と同様な巻尺５１が設けられ、そのテープ材が計測器ケース体５０の上面から上方に突出されている。
【００５４】
巻尺５１のテープ材の先端にはスナップボタン５２が設けられ、前述の取付具（フック１７、磁石２０、吸盤２１、クリップ２２）のスナップボタン１８が係合可能となっている。
【００５５】
また、計測器ケース体５０の前面開口を横切るように左右側壁に掛け渡されるバンド５４が着脱自在に設けられており、計測器５３が計測器ケース体５０内に収納された状態が保持できるようになっている。
【００５６】
このような計測器ケース体５０にあっても、上記第１の実施の形態で示した計測器１０と同様に測定物の近傍に所望の取付具（フック１７、磁石２０、吸盤２１、クリップ２２）を取付け、これを固定物に取着することにより計測器ケース体５０を安定させ、高さ方向の位置を調整することができる。
【００５７】
図７は本発明の第５の実施の形態を示すもので、この実施の形態は計測器ケース体の背面に長尺部材としての帯部材を計測器ケース体に対して上下方向に移動自在の設けたものである。  図７は本発明の第５の実施の形態を示すもので、背面側から見た斜視図である。この第５の実施の形態は長尺部材としての巻尺１５の代わりに帯部材６２を計測器ケース体６０の背面に上下方向に移動自在に設けたものである。
【００５８】
長尺部材としての帯部材６２は絶縁物が好ましく、ビニール樹脂などが好ましく、また、計測器ケース体６０及びこの中に収納された計測器（図示は省略）を吊すことになるのでこれらが回転しないように幅広で比較的硬質なもので構成されている。
【００５９】
そして、計測器ケース体６０の背面壁に上下に離間した位置に左右方向に伸びる２つのスリット６１、６１が形成され、この２つのスリット６１、６１のうち、上側にスリット６１に計測器ケース体６０の外側から内側に帯部材６２を通し、今後は下側のスリット６１から外側に通す。これにより帯部材６２は計測器ケース体６０の背面壁に縫うようにして通され、帯部材６２が計測器ケース体６０に対して上下方向に移動自在な状態で取着される。
【００６０】
帯部材６２の上端にはスナップボタン６３が設けられ、前述の取付具（フック１７、磁石２０、吸盤２１、クリップ２２）のスナップボタン１８が係合可能となっている。
【００６１】
このような計測器ケース体６０にあっても、上記第１の実施の形態で示した計測器１０と同様に測定物の近傍に所望の取付具（フック１７、磁石２０、吸盤２１、クリップ２２）を取付け、これを固定物に取着することにより計測器ケース体６０を安定させ、高さ方向の位置を調整することができる。
【００６２】
以上、この発明の各実施の形態について説明したが、具体的な構成は、上記の各実施の形態に限られるものではなく、この発明の要旨を逸脱しない範囲の設計の変更等があっても、この発明に含まれる。
【符号の説明】
【００６３】
１０  計測器
１１  筐体
１２  メータ
１３  プローブ
１４  テストリード
１５  巻尺（長尺部材）
１６  ロック機構
１７  フック（取付具）
１８  スナップボタン
２０  磁石（取付具）
２１  吸盤（取付具）
２２  クリップ（取付具）
３０  計測器
３１  巻尺（長尺部材）
３２  スナップボタン
３３  ロック機構
３４  面ファスナー
３５  面ファスナー
４０  計測器
４１  ロッド棒
４２  スナップボタン
５０  計測器ケース
５１  巻尺
５２  スナップボタン
５３  計測器本体
５４  バンド
【図１】
2017122590.tif 000003
【図２】
2017122590.tif 000004
【図３】
2017122590.tif 000005
【図４】
2017122590.tif 000006
【図５】
2017122590.tif 000007
【図６】
2017122590.tif 000008
【図７】
2017122590.tif 000009